(57)【要約】      （修正有）【課題】設置面積を小さくし、原稿の取り扱い性を向上させ、使用しやすい形態の画像読取記録装置を提供する。【解決手段】画像記録手段を収納した装置本体２０の下方に画像読取手段２を一端側が接続され他端側が延出するように設ける。画像読取手段２は、装置本体２０に対して移動可能であり、原稿が載置される原稿載置部、原稿載置部に原稿の読取面を押し付ける原稿押圧部２１、原稿裁置部に置かれた原稿を読み取る原稿読取部、を有する。原稿押圧部２１は、一端側が屈曲可能に支持され、第１の原稿押圧部２５ａ及び第２の原稿押圧部２５ｂに分割されている。第１の原稿押圧部２５ａと第２の原稿押圧部２５ｂの境界部は折曲げ自在である。【選択図】図５
2006135730.tif 000002
【特許請求の範囲】
【請求項１】
シートに画像を形成する画像記録手段と、原稿の画像を読み取る画像読取手段と、を備え、
画像記録手段を収納した装置本体の前記画像記録手段の下方に前記画像読取手段をその一端側が接続され他端側が装置本体から延出するように設け、画像読取手段は、装置本体に対してその延出方向に沿って移動可能で、かつ少なくとも第１の位置と第２の位置で固定可能であり、
前記画像読取手段は、前記原稿が載置される原稿載置部、この原稿載置部に前記原稿の読取面を押し付ける原稿押圧部、及び原稿裁置部に置かれた原稿を読み取る原稿読取部、を有し、
前記原稿押圧部は、原稿裁置部を覆う位置と覆わない位置との間を往復するように、一端側で折り曲げ可能であり、かつ少なくとも前記一端側に近接した第１の原稿押圧部及び前記一端側から第１の原稿押圧部よりも離れた第２の原稿押圧部に分割されて、これら第１の原稿押圧部と第２の原稿押圧部の境界部は折曲げ可能であり、
前記画像読取手段の第１の位置では、前記原稿載置部の一部を前記第２の原稿押圧部が覆いまたは覆わないように、前記境界部で前記第２の原稿押圧部が前記第１の押圧部に対して屈曲され、
前記画像読取手段の第２の位置では、前記原稿載置部の全部を含む広範囲を前記第１の原稿押圧部及び第２の原稿押圧部が覆いまたは覆わないように、前記第１の原稿押圧部及び第２の原稿押圧部を含む原稿押圧部が前記一端側で屈曲することを特徴とする画像読取記録装置。
【請求項２】
前記原稿押圧部の上面は、前記画像記録手段により画像が記録されたシートが排出され、積載される排出シート積載手段を兼ねるようにしたことを特徴とする請求項１に記載の画像読取記録装置。
【請求項３】
前記原稿押圧部には、前記画像読取手段の移動方向に延長可能な補助排出シート積載手段を収納できる収納部を形成したことを特徴とする請求項２に記載の画像読取記録装置。
【請求項４】
前記画像読取手段が第１の位置にあり、前記第２の原稿押圧部が原稿裁置部の一部を覆わない状態にあるとき、前記第２の原稿押圧部を保持できるように装置外装部に前記第２の原稿押圧部の引掛部を配設したことを特徴とする請求項１から３のいずれかに記載の画像読取記録装置。
【請求項５】
前記第１の原稿押圧部と前記第２の原稿押圧部とが一体成形され、第１の原稿押圧部と前記第２の原稿押圧部の境界に溝を設けて屈曲自在としたことを特徴とする請求項１から４のいずれかに記載の画像読取記録装置。
【請求項６】
前記第２の原稿押圧部は、前記第１の原稿押圧部にヒンジ構造部によって屈曲可能に支持されていることを特徴とする請求項１から４のいずれかに記載の画像読取記録装置。
【発明の詳細な説明】
【技術分野】
【０００１】
本発明は、読取装置と記録装置とを一体にした複写機、ファクシミリ、またはこれらの複合機器等の画像読取記録装置に関する。
【背景技術】
【０００２】
近年、一般家庭でも、パーソナルコンピュータ（以下、「パソコン」という）の普及に連れて、プリンタやスキャナが使用されている。また、パソコン、モニタ、プリンタまたはスキャナ等の各種機器を設置する場合のスペース効率を考え、プリンタとスキャナを一体とし、その上、コピー機能やファクシミリ機能まで兼ね備えた画像読取記録装置が知られている。          
【０００３】
このような従来の画像読取記録装置としては、例えば特許文献１に記載のものがある。その一例を、図７、図８において説明する。図７は、画像読取記録装置の全体斜視図、図８は、その要部断面図である。この画像読取記録装置１１０は、全体をコンパクトにするため、プリンタ１０４とスキャナ１０７とを互いに上下に重なるように配置した２層構造になっている。また、プリンタとスキャナ１０７の側方に設けた筐体１００の後部には、画像処理部や制御回路部等を実装した基板１１８が起立状態で配設されている。
【０００４】
前記プリンタ１０４は、公知のシリアルプリンタであって、ガイドシャフト１４３，１４４上を往復移動可能なキャリッジ１４５をモータ（図示せず）により駆動する構造である。キャリッジ１４５上には、必要な複数色のインク入りカートリッジ１４６ないし１４９が、それぞれ交換自在に設けられている。これらのカートリッジのインクは、インクジェットヘッド１３３に供給される。
【０００５】
前記筐体１００の蓋部１０１には、操作パネル１０５が一体に設けられている。筐体１００は、キャリッジ１４５がスキャナ１０７の横（側方）の待機位置に移動したとき、ユーザーが蓋部１０１を開くと、キャリッジ１４５上の各インクカートリッジ１４６ないし１４９を任意に交換可能となっている。
【０００６】
また、スキャナ１０７の上部には、手掛け部１７１ｋを有する圧板１７１が、ヒンジ部１７１ａを中心に、図７中矢印Ｃ方向に回動自在に設けられている。
プリンタ１０４における記録シートパスは、図８に破線で示すように記録シートＰを下部前方から（図８の左から右に）装填して上部前方（図８の右から左に）に排出するＵターンパスである。
【０００７】
すなわち、シート供給部に記録シートを装填すると、押し板１２３は、最初の１枚目の記録シートＰをプラテンローラ１２５に圧接させ、その回転によって、プラテンローラ１２５と分離ローラ１２６との間に送り込まれる。記録シートＰは、さらに、ガイドローラ１２７とガイドプレート１２８とガイド押圧ローラ１２９とによりキャリッジ１４５のインクジェットヘッド１３３の下方に案内される。そして、キャリッジ１４５がガイドシャフト１４３，１４４上を記録シートパスに対して直交方向に往復移動しながらインクジェットヘッド１３３によって記録シートＰに画像を記録（画像を形成）する。この記録シートＰは、排出ローラ１３０と、拍車ローラ１３１とにより排出トレイ１３２上に排出される。
【０００８】
【特許文献１】特開２００３−２８５９６４号公報
【発明の開示】
【発明が解決しようとする課題】
【０００９】
しかし、上記の画像読取記録装置１１０では、Ｕターンパスになっている記録シートパス上にプリンタ１０４を装備しているので、装置全体の高さが高くなる。そのため、装置の頂部に配置されたスキャナ１０７に原稿がセットしにくい、という問題があった。特に、プリンタ１０４の上方にスキャナ１０７が配置されるので、プリンタ１０４とスキャナ１０７との間に、プリンタから排出された画像形成済みの記録シートが積載される排出トレイ１３２の設置空間が必要となり、スキャナ１０７を高い位置に設けることが避けられない。このような画像読取記録装置１１０を机上に載置して、ユーザーが椅子に座った姿勢でスキャナ１０７を使用する場合、スキャナ１０７の上面にセットした原稿が見えにくくなる欠点があった。
【００１０】
また、一般家庭でスキャナにより画像が取り込まれる原稿は、通常、写真等、比較的小さなものが多い。しかし、図７，８に示す構造の装置では、写真等の小さな原稿をセットする際にも、常にスキャナ上部の圧板１７１を、手掛け部１７１ｋを持ってヒンジ部１７１ａを中心に回転させ、その全体を開閉しなくてはならない。このような操作は面倒であり、スキャナが使用しづらいという問題がある。
【００１１】
本発明は上記のような問題に鑑みてされたもので、設置面積を小さくし、かつ原稿の取り扱い性を向上させ、使用しやすい形態とした画像読取記録装置を提供することを課題とする。
【課題を解決するための手段】
【００１２】
上記課題を達成するために本発明の画像読取記録装置は、次のような構成とした。
すなわち、シートに画像を形成する画像記録手段と、原稿の画像を読み取る画像読取手段と、を備え、
画像記録手段を収納した装置本体の前記画像記録手段の下方に前記画像読取手段をその一端側が接続され他端側が装置本体から延出するように設け、画像読取手段は、装置本体に対してその延出方向に沿って移動可能で、かつ少なくとも第１の位置と第２の位置で固定可能であり、
前記画像読取手段は、前記原稿が載置される原稿載置部、この原稿載置部に前記原稿の読取面を押し付ける原稿押圧部、及び原稿裁置部に置かれた原稿を読み取る原稿読取部、を有し、
前記原稿押圧部は、原稿裁置部を覆う位置と覆わない位置との間を往復するように、一端側で折り曲げ可能であり、かつ少なくとも前記一端側に近接した第１の原稿押圧部及び前記一端側から第１の原稿押圧部よりも離れた第２の原稿押圧部に分割されて、これら第１の原稿押圧部と第２の原稿押圧部の境界部は折曲げ可能であり、
前記画像読取手段の第１の位置では、前記原稿載置部の一部を前記第２の原稿押圧部が覆いまたは覆わないように、前記境界部で前記第２の原稿押圧部が前記第１の押圧部に対して屈曲され、
前記画像読取手段の第２の位置では、前記原稿載置部の全部を含む広範囲を前記第１の原稿押圧部及び第２の原稿押圧部が覆いまたは覆わないように、前記第１の原稿押圧部及び第２の原稿押圧部を含む原稿押圧部が前記一端側で屈曲することを特徴とする。
【００１３】
本発明では、画像記録手段の下方に、画像記録手段と一部が互いに重なるように画像読取手段を設けているので、全体として設置面積の小さい装置とすることができる。また、画像読取手段は、通常状態では画像記録手段の下部に収納され、小サイズの原稿を読み取るときは、画像読取手段を装置本体から引き出すことなく使用できる。このような構成によって、画像読取手段の原稿裁置部に原稿を置くことが容易となり、また見やすい位置に原稿が置かれることになる。
【００１４】
前記原稿押圧部が分割される場合、第１の原稿押圧部と第２の原稿押圧部等への分割に限られず、より多くの原稿押圧部に分割されるようにしてもよい。
【００１５】
前記原稿押圧部の上面は、前記画像記録手段により画像が記録されたシートが排出され、積載される排出シート積載手段を兼ねるように構成することができる。
【００１６】
前記原稿押圧部には、前記画像読取手段の移動方向に延長可能な補助排出シート積載手段を収納できる収納部を形成してもよい。この収納部は、例えば凹部として原稿押圧部の表面を平面に保持することができる。
【００１７】
前記画像読取手段が第１の位置にあり、前記第２の原稿押圧部が原稿裁置部の一部を覆わない状態にあるとき、前記第２の原稿押圧部を保持できるように装置外装部に前記第２の原稿押圧部の引掛部を配設するようにしてもよい。
【００１８】
本発明は、前記第１の原稿押圧部と前記第２の原稿押圧部とが一体成形され、第１の原稿押圧部と前記第２の原稿押圧部の境界に溝を設けて屈曲自在とすることが可能である。
【００１９】
前記第２の原稿押圧部は前記第１の原稿押圧部にヒンジ構造部によって屈曲可能に支持することができる。
本発明の画像読取録装置１０は、画像記録手段と画像読取手段との間の空間を排出シート積載手段として有効に使用することができる。
また、原稿押圧部が排出シート積層手段を兼ね、また、これに補助排出シート積層手段を収納する収納部を設けるようにすれば、別途、排出シート積載手段を設ける必要がなく、装置全体がよりコンパクトな構造となる。
【発明の効果】
【００２０】
本発明によれば、画像読取記録装置における画像の読み取り動作、画像記録動作の両方の操作性を向上させることができるとともに、装置の設置面積を小さくすることが可能となる。
【発明を実施するための最良の形態】
【００２１】
以下、本発明の画像読取記録装置の実施の形態を、図面に基づいて説明する。
図１は、本発明を適用した画像読取記録装置の全体斜視図である。
この画像読取記録装置１０は、所定の記録シートに画像を記録するための画像記録手段としてのプリンタ１と、原稿記載の画像を読み取る画像読取手段としてのスキャナ２と、を備えている。
【００２２】
この画像読取記録装置１０における装置本体２０の下部には、水平方向に延在する直方体状のスキャナ２が設けられている。また、スキャナ２の上方の装置本体２０内部にはプリンタ１が配設されている。プリンタ１が設けられた部位の上面には、複写操作等の各種操作を行うための操作パネル３が配設され、この画像読取記録装置１０の作動状態等を示す表示窓３ａ、および各種の作動に関する設定をするためのキー類３ｂが配されている。これらキー類３ｂは、スキャナ、プリンタ及びコピー等の動作モードを切り換える切換キー、各種操作を開始させるスタートキー、各種操作を停止させるストップキー、その他各種設定を行うキー等が含まれる。
【００２３】
なお、ホストコンピュータ側となるパソコンに接続されるUSBコネクタ（図示せず）が装置本体２０の後方に配置される。
【００２４】
図２は、図１に示す画像読取記録装置の概略断面図である。
プリンタ１は、記録ヘッドからインクを吐出して、所定の記録シートにインク像を記録するインクジェット記録方式を採用してなる、いわゆるシリアルプリンタである。プリンタ１は、自動給紙ユニット１１上にセットされる複数枚の記録シート（図示せず）を１枚ずつ分離して搬送し、その記録シートに画像を形成する。補助トレイ１４は、記録シートの搬送方向のサイズに応じて自動給紙ユニット１１に、着脱自在に差し込んで使用される。
【００２５】
自動給紙ユニット１１は、押し板１７、ピックアップローラ３１、分離機構（図示せず）、サイドガイド１３等を備えた公知の構造である。
この自動給紙ユニット１１にセットされた複数枚の記録シートの内、最上位の記録シートは、押し板１７が不図示の駆動機構により回動することによってピックアップローラ３１に押し当てられる。そして、ピックアップローラ３１は、図中時計方向に回転し、最上位の記録シートを分離機構（図示せず）で他の記録シートから分離し、搬送する。
前記押し板１７上にはサイドガイド１３が設けられ、記録シートの幅方向のサイズに合わせてスライドさせることで、自動給紙ユニット１１にセットされた記録シートの端部を揃えて、その記録シートの斜行を防ぐ。
【００２６】
この記録シートは、さらに、搬送ローラ３３とピンチローラ３２とにより、キャリッジシャフト４３に案内され、図２に対して垂直方向に、モータ（図示せず）により駆動されて往復駆動するキャリッジ４５に搭載されたインクジェットヘッド４６の下に送り込まれ、画像が形成される。
【００２７】
そして、プリンタ１は、キャリッジ４５上に黒、シアン、マゼンタ、イエローの各色のインク入りのカートリッジ４６ａ、４６ｂ、４６ｃ、及び４６ｄを交換自在に配置し、インクジェットヘッド４６ヘ各色のインクを供給するようになっている。
【００２８】
インクヘッド４６に接することで画像が記録された記録シートは、排紙ローラ３４ａ、３４ｂと、インク面に影響を与えないようにした拍車ローラ３５ａ，３５ｂとにより後述するスキャナ２の圧板２１及び排紙補助トレイ１５上に排出される。このように、原稿ガラス２２の上面に設けた圧板２１は、その上面に、プリンタ１から排出される排出シートを積層する排出シート積層部３０が設けられている。
【００２９】
さらに、平板状の排紙補助トレイ１５は、図１に示すように、非使用時には圧板２１の上面凹部１５ａ内に一端を軸支して収納されている。この使用時には、図３における矢印Ｋ方向に排紙補助トレイ１５を反転させることで、プリンタ１からの排紙を受けることができる。なお、この例では排紙補助トレイ１５は、一端を軸支して矢印Ｋ方向に回転させて使用しているが、これを圧板２１の上面凹部内からスライドさせて引き出して使用する形態としてもよい。
【００３０】
次に、画像読取手段としてのスキャナについて説明する。
スキャナ２は、書籍等のブックタイプの原稿の画像読み取りが可能なフラットベッドタイプのものである。また、スキャナ２は、図４に示すように、その上面に原稿ガラス２２を有しており、その上に前述の圧板２１が積層されるように設けられ、原稿ガラス２２上に裁置した原稿を押さえるようになっている。圧板２１は、装置本体２０に近接した側に、矢印Ｃ方向と直交する方向に横断する溝により形成した第１ヒンジ部２１ａを有している。圧板２１を、その他端を持ち上げるようにして矢印Ａ方向に移動させると、第１ヒンジ部２１ａが屈曲して原稿ガラス２２面が開かれ、これが露出する構造である。このようにして、原稿ガラス２２上に載置した原稿Ｄ１を所定の読取手段（後述する）により読み取ることが可能である。この位置ではスキャナ２は所定以上の引張り力によって移動させなければ、動くことはない。
【００３１】
図２において、スキャナ２は、その内部にガイドシャフト５０に案内されて、図中左右方向へ、モータ（図示せず）により駆動されて往復移動するコンタクトセンサホルダ５１を備えている。このコンタクトセンサホルダ５１には読取りユニットが搭載され、コンタクトセンサ（ＣＳ）２３によって、原稿ガラス２２に載置した原稿の画像を読み取るようになっている。
【００３２】
図２中、５２は、画像読取記録装置１０の主基板である。主基板５２は、記録動作、読取動作等の各駆動源であるモータの駆動ドライバＩＣや各種電気素子を搭載している。
【００３３】
本実施例の画像読取記録装置では、記録シートの搬送方向（矢印Ｃ方向）とコンタクトセンサ２３の移動方向が同一になるように構成されている。
図４に示すように、原稿ガラス２２上の原稿Ｄ１が、写真のＬ版（８９ｍｍ×１２７ｍｍ）から葉書（１００ｍｍ×１４８ｍｍ）または２Ｌ版（１２７ｍｍ×１７８ｍｍ）までの大きさであれば、原稿ガラス２２の大きさが２２０ｍｍ×３００ｍｍであるので、原稿突き当て基準である角部２２ａから、装置奥行き方向の略中間位置（約１５０ｍｍ）に設けた第２ヒンジ部２１ｂを中心に圧板２１を折り曲げることで、原稿ガラス２２の一部（スキャナ２の他端側）を露出させ、図示のように、その上に原稿Ｄ１を設置することが可能になる。
【００３４】
また、原稿Ｄ１の設置時に、屈曲して直立状態となった圧板２１の一部を倒れないように保持するため、装置本体２０の外装の一部に爪状の引掛部２０ａ、２０ｂを設け、圧板２１の止め部としている。
【００３５】
さらに、図５に示すように、スキャナ２の左右側面には、レール６３と、このレール６３が複数配置されることで形成される突条部６２は、それぞれスキャナの側面に左右１対設けられている（図５では、一側面のみを示している）。このように、スキャナ２は、装置本体２０の収納部２０ａの外方に向けて突設された突条部６２に案内されて、矢印Ｃ方向にスライド可能に支持されている。
【００３６】
圧板２１は、さらに第１ヒンジ部２１ａよりも装置本体２０に近い部分に、第２ヒンジ部２１ｂが形成されている。
このように、圧板２１は、第１ヒンジ部２１ａよりも他端側に位置する第１圧板２５ａと、第１ヒンジ２１ａと第２ヒンジ２１ｂに挟まれた部分の第２圧板２５ｂに分割され、これらは互いに第１ヒンジ２１ａにおいて屈曲可能に接続されていることになる。
スキャナ２は、上記のようにレール６３に案内されて移動可能であるので、スキャナ２を矢印Ｃ方向と反対の方向に引くと、これが装置本体２０から引き出され、スキャナ２の他端がより装置本体２０から離れる方向に移動し、第１ヒンジ２１ａと第２ヒンジ部２１ｂとが共に外部に露出した位置（第１圧板２５ａと第２圧板２５ｂとが共に外部に露出した位置）にて、ストッパ等によりスキャナ２の移動が停止する。
【００３７】
このように、原稿Ｄ２（図６）がＡ４版（２１０ｍｍ×２９７ｍｍ）である場合は、スキャナ２全体を、図５に示すように、装置本体２０から引き出すようにスライドさせて、（第１ヒンジ部２１と共に）第２ヒンジ部２１ｂが外部に露出した状態とする。この状態から圧板２１の他端を持ち上げると、第２ヒンジ部２１ｂにおいて、第１圧板２５ａと第２圧板２５ｂが一体となった圧板２１全体が折れ曲がり、これが矢印Ａ方向に回動する。すると、原稿ガラス２２の広い面が開かれて露出するので、図６に示すように比較的大きなサイズの原稿Ｄ２を原稿ガラス２２上に置くことができる。このときも立ち上がった圧板２１が倒れることがないように、装置本体２０の引掛部２０ａ、２０ｂにより、圧板２１を係止する。
また、前記圧板２１に、排出シート積層部３０を設け、また、圧板２１に排紙補助トレイ１５を収納する凹部１５ａを設けるようにした場合は、別途、排出シート積層部を設ける必要がなく、装置全体がよりコンパクトな構造となる。
【００３８】
以上の構成により、本実施形態による画像読取記録装置１０は、記録シートに画像を形成するプリンタ（画像記録手段）１と、原稿の画像を読み取るスキャナ（画像読取手段）２と、これらのプリンタ１とスキャナ２とを有する装置本体２０とを備え、装置本体２０は、プリンタ１の下方にスキャナ２を位置させ、スキャナ２が装置本体２０に対してスライド可能な構成になっている。このような構造により設置面積の小さい装置とすることができる。
【００３９】
前記画像読取記録装置１０によると、スキャナ２は通常状態ではプリンタ１の下方に収納され、家庭等で使用頻度の高い写真や葉書等の小サイズの原稿を読み取るときはスキャナ２を装置本体２０から引き出すことなく、コンパクトな状態で使用可能である。
一方、Ａ４等の大サイズの原稿を読み取るときは、スキャナ２を装置本体２０から引き出して使用することができる。
【００４０】
スキャナ２は、装置本体２０の下部に配置されているため、使用者は椅子に座った姿勢であっても、原稿を原稿ガラス２２上に容易に載置することができ、原稿の読み取り能率を向上させることができる。
【００４１】
一方、プリンタ１の設置高さはそれほど高くなることがないため、プリンタ１としての使い勝手を犠牲にすることがない。
【図面の簡単な説明】
【００４２】
【図１】本発明の実施形態の画像読取記録装置の全体斜視図
【図２】本発明の実施形態の画像読取記録装置の主断面図
【図３】図１において、排紙補助トレイを開放した状態の斜視図
【図４】小サイズ原稿読取時の圧板開放状態の斜視図
【図５】スキャナを引き出した状態の斜視図
【図６】図５においる圧板開放状態の斜視図
【図７】従来の画像読取記録装置の全体斜視図
【図８】図７の画像読取記録装置の主断面図
【符号の説明】
【００４３】
１      プリンタ
２      スキャナ
１０      画像読取記録装置
１５      排紙補助トレイ
２０      装置本体
２１      圧板
２１ａ    第１ヒンジ部  
２１ｂ    第２ヒンジ部
２２      原稿ガラス
２５ａ    第１圧板
２５ｂ    第２圧板
【図１】
2006135730.tif 000003
【図２】
2006135730.tif 000004
【図３】
2006135730.tif 000005
【図４】
2006135730.tif 000006
【図５】
2006135730.tif 000007
【図６】
2006135730.tif 000008
【図７】
2006135730.tif 000009
【図８】
2006135730.tif 000010